(57)【要約】      （修正有）【課題】ユーザは、様々な場合に応じて腕当て部分上の前腕高さを自由に異なる高さとなるように調整でき、ユーザは快適に前腕を置くことができる座席用肘掛けを提供する。【解決手段】座席用肘掛けは肘当て部分１０、腕当て部分２０、可動連結構造３０、および高さロック構造４０を含む。肘当て部分１０は、座席に接続されている。可動連結構造３０と高さロック構造４０は肘当て部分１０及び腕当て部分２０に接続されている。可動連結構造３０は腕当て部分２０が可動連結構造３０廻りに肘当て部分１０の上方の空間に向かって回転するのを可能にしている。腕当て部分２０が任意の所望の高さに回転されると、高さロック構造４０は腕当て部分２０を固定することができる。【選択図】図３
0003222757.tif 000002
【実用新案登録請求の範囲】
【請求項１】
座席に座っているユーザの肘を支持するために座席に接続されるようになっている肘当て部分と、
前記ユーザの前腕を支持するための腕当て部分と、
前記肘当て部分と前記腕当て部分とに接続されて、前記腕当て部分が前記肘当て部分の上方空間に向かって容易に回転するように前記腕当て部分に取り囲まれている可動連結構造と、
前記肘当て部分と前記腕当て部分に接続されて、前記腕当て部分が所望の高さに回転されると、前記所望の高さにて前記腕当て部分を固定する高さロック構造とを備えた座席に取り付けるのに適したことを特徴とする座席用肘掛け。
【請求項２】
前記可動連結構造は、前記肘当て部分及び前記腕当て部分を前記座席に取り付けた際に水平方向に延びる回転軸、及び前記肘当て部分に対して上下方向に回転されて前記回転軸を中心として回転される前記腕当て部分を有する回転接続構造を含むことを特徴とする請求項１に記載の座席用肘掛け。
【請求項３】
前記肘当て部分と前記腕当て部分とは前記肘当て部分及び前記腕当て部分を前記座席に取り付けた際に共通の長手方向を有し、前記長手方向は前記回転接続構造の前記回転軸に対して垂直であることを特徴とする請求項２に記載の座席用肘掛け。
【請求項４】
前記肘当て部分と前記腕当て部分とは共通の長手方向を有し、前記長手方向と前記回転軸とのなす角度は、０度よりも大きく９０度よりも小さいことを特徴とする請求項２に記載の座席用肘掛け。
【請求項５】
前記腕当て部分の長手方向での両端はそれぞれ自由端および接続端となっていて、前記接続端は前記可動連結構造に接続されていて、前記回転接続構造の前記回転軸の両端はそれぞれ内側端及び外側端となっていて、前記内側端は前記外側端よりも前記座席６０に近く、前記内側端は前記外側端よりも前記腕当て部分の前記自由端に近いことを特徴とする請求項４に記載の座席用肘掛け。
【請求項６】
前記腕当て部分の長手方向での両端はそれぞれ自由端および接続端となっていて、前記接続端は前記可動連結構造に接続されていて、前記回転接続構造の前記回転軸の両端はそれぞれ内側端及び外側端となっていて、前記内側端は前記外側端よりも前記座席に近く、前記外側端は前記内側端よりも前記腕当て部分の前記自由端に近いことを特徴とする請求項４に記載の座席用肘掛け。
【請求項７】
前記可動連結構造がボールジョイントを含むことを特徴とする請求項１に記載の座席用肘掛け。
【請求項８】
前記ボールジョイントは、前記肘当て部分に確実に取り付けられているボールヘッドと、前記腕当て部分に確実に取り付けられていて前記ボールヘッドに対して回転可能かつ緊密に取り付けられている半球状カバーとを含むことを特徴とする請求項７に記載の座席用肘掛け。
【請求項９】
前記高さロック構造は、
前記肘当て部分に確実に取り付けられ、前記回転接続構造の前記回転軸の周りに取り付けられ、その外側環状表面上に複数の歯を有する係合ホイール、及び前記腕当て部分に移動可能に取り付けられ、前記係合ホイールの歯と選択的に係合する係合ブロックを含む係合固定構造体と、
前記腕当て部分に取り付けられて前記係合ブロックが前記係合ホイールの前記歯と係合するように、または前記係合ホイールから分離するように、前記係合ブロックを動かすことができる駆動構造体とを含むことを特徴とする請求項２に記載の座席用肘掛け。
【請求項１０】
前記駆動構造体は、前記腕当て部分に移動可能に取り付けられ、２つの端部のうちの一方がユーザの手で引くために前記腕当て部分から突き出ていて、他方の端部が前記係合ブロックに接続されている引き要素を含むことを特徴とする請求項９に記載の座席用肘掛け。
【請求項１１】
前記駆動構造体は、前記腕当て部分に取り付けられ、前記係合ホイールの方向に前記係合ブロックを押す圧縮ばねをさらに含むこと特徴とする請求項１０に記載の座席用肘掛け。
【請求項１２】
前記駆動構造体は、前記腕当て部分に取り付けられ、前記係合ホイールの方向に前記係合ブロックを押すねじりばねをさらに含むこと特徴とする請求項１０に記載の座席用肘掛け。
【請求項１３】
前記駆動構造体は、
前記腕当て部分内に取り付けられて回転可能に接続されていて、２つの端部のうちの一方がユーザによって引かれるために前記腕当て部分から突き出ている引き要素と、
両端がそれぞれ第１端および第２端となっていて、前記第１端は前記引き要素に接続されていて、前記引き要素によって選択的に引かれる引き紐体と、
前記引き紐体の前記第２端を前記係合ホイール方向に押す圧縮ばねと、
２つの端部が前記引き紐体の前記第２端及び前記係合ブロックにそれぞれ接続されていて、前記係合ブロックを前記係合ホイール向かって押すねじりばねとを含むことを特徴とする請求項９に記載の座席用肘掛け。
【請求項１４】
前記腕当て部分は案内凸部を有し、
前記係合ブロックは案内凹部を有し、
前記案内凹部は前記係合ブロック内に延びていて、前記案内凹部の延長方向は前記腕当て部分と関連している前記係合ブロックの移動方向と平行であり、前記案内凹部は前記係合ブロックの動きを前記腕当て部分に対して直線的に限定するために前記案内凸部の周りに配置されていることを特徴とする請求項９に記載の座席用肘掛け。
【請求項１５】
前記高さロック構造は、
前記肘当て部分の側面に回転可能に接続されている固定リングと、
２つの端部がそれぞれ回転端部および挿入端部であり、前記回転端部は前記腕当て部分の側面に回転可能に接続されていて、前記挿入端部は前記固定リングを通過して移動可能に取り付けられている回転棒と、
前記回転棒廻り及び前記回転棒の螺旋ねじ山に取り付けられ、前記固定リングに選択的に当接しているドロップストップナットとを含み、
前記固定リングは、前記ドロップストップナットと前記回転棒の前記回転端部との間に配置されていることを特徴とする請求項２に記載の座席用肘掛け。
【請求項１６】
前記高さロック構造は、前記回転棒の螺旋ねじ山廻りに取り付けられていて、前記固定リングに選択的に固定され、前記固定リングと前記回転棒の前記回転端部との間に配置されたリフトストップナットをさらに含むことを特徴とする請求項１５に記載の座席用肘掛け。
【請求項１７】
前記肘当て部分と前記座席との間に接続され、前記腕当て部分を前記座席に対して相対的に左右に回転する直立旋回軸を有する肘掛け回転構造をさらに含むことを特徴とする請求項１に記載の座席用肘掛け。
【請求項１８】
前記肘当て部分と前記座席との間に接続され、前記肘当て部分を前記座席の横方向側に向かって上下に回転させるために前後に延びる旋回軸を有する肘掛け回転構造をさらに含むことを特徴とする請求項１に記載の座席用肘掛け。
【考案の詳細な説明】
【技術分野】
【０００１】
本考案は、座席用肘掛けに関し、特に座席に対して回転可能な座席用肘掛けに関するものである。
【背景技術】
【０００２】
従来の座席は、通常、使用者が腕を横にすることができるように肘掛けが取り付けられており、それによって全体的な座席の快適性が向上している。中国特許第２０８１０１７８３号の実用新案は、肘掛けの端部が座席に回転可能に取り付けられている座席用肘掛けを開示している。使用者が肘掛けを使用する必要があるとき、使用者が肘掛けの上に腕を置くことができるように、肘掛けをシートに対して所望の高さまで回転させるように押すことができる。
【先行技術文献】
【特許文献】
【０００３】
【特許文献１】中国実用新案第２０８１０１７８３号明細書
【考案の概要】
【考案が解決しようとする課題】
【０００４】
しかしながら、上述の肘掛けは、単一の特定の角度で停止するように回転することしかできず、その結果、ユーザの腕は、同じ姿勢で肘掛けの上にのみ静止することしかできない。 しかし携帯電話を使用するとき、キーボードで入力するとき、ゲームをするとき、本を読むときなど、ユーザの腕の姿勢はさまざまな場面で異なる。腕のための最も快適な姿勢は上記さまざまな場面で異なっている。しかしながら、従来の肘掛けは、異なる腕の姿勢に適応した快適な支持を提供することができず、したがって改善される必要がある。
【０００５】
本実用新案の主な目的は、使用上の要求に応じてどのような角度および高さであっても停止するように回転させることができ、それによってユーザの腕に対してより快適な支持を提供することができる座席用肘掛けを提供することである。
【課題を解決するための手段】
【０００６】
座席用肘掛けは座席に設置されるように適合され、肘当て部分、腕当て部分、可動連結構造、および高さロック構造を備えている。肘当て部分は、座席に接続されるように適応されていて、座席に座っているユーザの肘を支持する。腕当て部分は使用者の前腕を支持する。可動連結構造は、肘当て部分および腕当て部分に接続され、腕当て部分が可動連結構造を取り囲んで肘当て部分の上方空間に向かって回転することを容易にする。高さロック構造は、肘当て部分と腕当て部分とに接続されている。腕当て部分が任意の所望の高さに回転されると、高さロック構造は腕当て部分を前記所望の高さに固定することができる。
【考案の効果】
【０００７】
肘掛けが使用されているとき、ユーザは肘を肘当て部分の上に置き、前腕を腕当て部分の上に置く。ユーザは、可動連結構造によって腕当て部分を所望の高さまで上方に回転させることができ、次いで、高さロック構造によって腕当て部分を前記所望の高さに固定することができる。その結果、ユーザは前腕を横たえる高さを様々な場面に応じて自由に調整することができ、前腕を快適に置くことができる。
【図面の簡単な説明】
【０００８】
【図１】本実用新案に係る座席用肘掛けの第１実施形態の斜視図である。
【図２】図１の座席用肘掛けの平面図である。
【図３】図１の座席用肘掛けのいくつかの内部構成要素の平面図である。
【図４】図１の座席用肘掛けのいくつかの内部構成要素の分解斜視図である。
【図５】図１の座席用肘掛けの分解斜視図である。
【図６】係合ホイールと係合ブロックとの間の関わりを示す図１の座席用肘掛けの操作上の図である。
【図７】図１の座席用肘掛けの引き要素および引き紐体の部分断面側面図である。
【図８】本実用新案に係る座席用肘掛けの第２実施形態の斜視図である。
【図９】座席に取り付けられた状態で示されている図８の座席用肘掛けの側面図である。
【図１０】座席に取り付けられた状態で示されている図８の座席用肘掛けの平面図である。
【図１１】座席に取り付けられた状態で示されている本実用新案に係る座席用肘掛けの第３実施形態の平面図である。
【図１２】座席に取り付けられた状態で示されている本実用新案に係る座席用肘掛けの第４実施形態の側面図である。
【図１３】本実用新案に係る座席用肘掛けの第５実施形態のいくつかの内部構成要素の平面図である。
【図１４】本実用新案に係る座席用肘掛けの第６実施形態のいくつかの内部構成要素の平面図である。
【図１５】本実用新案に係る座席用肘掛けの第７実施形態のいくつかの内部構成要素の平面図である。
【図１６】本実用新案に係る座席用肘掛けの第８実施形態の側面から視た操作上の図である。
【図１７】本実用新案に係る座席用肘掛けの第８実施形態の側面から視た操作上の図である。
【図１８】本実用新案に係る座席用肘掛けの第８実施形態の側面から視た操作上の図である。
【図１９】本実用新案に係る座席用肘掛けの第９実施形態の側面図である。
【図２０】本実用新案に係る座席用肘掛けの第１０実施形態の側面図である。
【考案を実施するための形態】
【０００９】
図１、図４、および図１２を参照すると、本実用新案による座席用肘掛けは座席６０に装着されるように適合されており、座席用肘掛けは肘当て部分１０、腕当て部分２０、可動連結構造３０、および高さロック構造４０を含む。
【００１０】
肘当て部分１０は、座席６０に接続されており、座席に座っているユーザの肘を支えるためのものである。腕当て部分２０は、使用者の前腕を支持するためのものである。可動連結構造３０は、肘当て部分１０及び腕当て部分２０に接続され、腕当て部分２０が可動連結構造３０廻りに肘当て部分１０の上方の空間に向かって回転するのを可能にしている。高さロック構造４０は、肘当て部分１０および腕当て部分２０に接続されている。腕当て部分２０が任意の所望の高さに回転されると、高さロック構造４０は腕当て部分２０を固定することができる。これにより、ユーザは、様々な場合に応じて前腕を横たえる高さを自由に調整することができる。
【００１１】
前述の実用新案の目的に従って、本実用新案の可動連結構造３０及び高さロック構造４０は、様々な実施態様において変更することができ、肘掛け回転構造５０を用いてより広い範囲の角度調整を達成することができる。本実用新案は次の実施態様を有する。
【００１２】
第１に、肘掛け回転構造５０が肘当て部分１０と座席６０との間に取り付けられ、それによって肘当て部分１０全体及び腕当て部分２０全体が座席６０に対して相対的に回転して角度調整範囲を広げることができる。肘掛け回転構造５０は、少なくとも以下の２つの構成を備える。
【００１３】
図９に示すように、第２の実施形態では、肘掛け回転構造５０は直立旋回軸５１を有するので、肘当て部分１０を座席６０に対して相対的に左右に回転させることができる。
【００１４】
図１２に示すように、第４実施形態では、肘掛け回転構造５０は、肘当て部分１０を座席６０の横方向側に向かって上下に回転させるために前後に延びる旋回軸５１を有している。
【００１５】
第２に、可動連結構造３０は、図３に示すような回転接続構造と、図２０に示すようなボールジョイントとの２つの構成をそれぞれ含むことができる。しかし、可動連結構造３０は、上記２つの構成に限定されない。
【００１６】
図３に示すように、回転接続構造は、肘当て部分１０及び腕当て部分２０を座席６０に取り付けた際に水平方向に延びる回転軸３１を有する。腕当て部分２０は、回転軸３１を中心として回転し、肘当て部分１０に対して上下方向に回転する。回動軸３１が配された角度に応じて、回転接続構造は以下の構成を有する。
【００１７】
図２に示すように、第１実施形態では、肘当て部分１０と腕当て部分２０とは肘当て部分１０及び腕当て部分２０を座席６０に取り付けた際に共通の長手方向Ｌ１を有し、長手方向Ｌ１は回転接続構造の回転軸３１（回転軸３１の延長線Ｌ２参照）に対して垂直である。
【００１８】
図８および図１０に示すように、第２実施形態では、回転接続構造の回転軸３１は斜めに延びている。すなわち、肘当て部分１０及び腕当て部分２０の長手方向Ｌ１と回転軸３１（延長線Ｌ２参照）とのなす角度は、０度よりも大きく９０度よりも小さい。さらに、このような形態は、以下の２つの構成をさらに含み得る。
【００１９】
図１０に示すように、第２実施形態では、本実用新案に係る２つの座席用肘掛けが互いに対称に配置され、回転軸３１（延長線Ｌ２参照）が座席６０の内側に向かって傾斜している。具体的には、腕当て部分２０の長手方向Ｌ１での両端はそれぞれ自由端２２および接続端２１となっている。接続端２１は可動連結構造３０に接続されている。回転軸３１の両端はそれぞれ内側端３１１及び外側端３１２となっている。内側端３１１は、外側端３１２よりも座席６０に近い。これは、回転軸３１が座席６０の内側に向かって傾斜していることを意味し、また内側端３１１が外側端３１２よりも腕当て部分２０の自由端２２に近いことを意味する。
【００２０】
図１１に示すように、第３実施形態では、回転軸３１（延長線Ｌ２参照）は、座席６０の外側に向かって傾斜している。すなわち、回転軸３１の外側端３１２は、内側端３１１よりも腕当て部分２０の自由端２２に近い。
【００２１】
回転接続構造の様々な選択肢は上述の通りである。可動連結構造３０の別の形態はボールジョイントである。図２０に示すように、第１０の実施形態では、ボールジョイントは、ボールヘッド３２と半球状カバー３３とを備えている。ボールヘッド３２は、肘当て部分１０に確実に取り付けられている。半球状カバー３３は、腕当て部分２０に確実に取り付けられていて、ボールヘッド３２に対して回転可能かつ緊密に取り付けられている。これにより、半球状カバー３３はボールヘッド３２に対して相対的に前後左右および上下に回転可能となっている。さらに、ボールヘッド３２もまた、腕当て部分２０に確実に取り付けられていて、半球状カバー３３は肘当て部分１０に確実に取り付けられていて、これによっても同様の機能を達成することができる。
【００２２】
第３に、高さロック構造４０は二つの構成を含みうることができ、この形態はそれぞれ、図３に示すような係合固定構造体４１と駆動構造体４２との組立体と、図１６に示すような固定リング４３、回転棒４４、及び組立体４２とドロップストップナット４５の組立体である。しかしながら、高さロック構造４０は、上記二つの構成に限定されない。
【００２３】
図３〜図５に示すように、第１実施形態では、係合固定構造体４１および駆動構造体４２は、主に回転接続構造とともに用いられる。
【００２４】
係合固定構造体４１は、係合ホイール４１１と係合ブロック４１２とを備えている。係合ホイール４１１は、肘当て部分１０に確実に取り付けられ、回転接続構造の回転軸３１の周りに取り付けられる。係合ホイール４１１は、係合ホイール４１１の外側環状表面上に複数の歯４１１１を有する。係合ブロック４１２は、腕当て部分２０に移動可能に取り付けられ、係合ホイール４１１に向かう側の端部に複数の歯４１２１を有する。係合ブロック４１２が移動すると、係合ブロック４１２の歯４１２１が係合ホイール４１１の歯４１１１と選択的に係合する。係合ブロック４１２が係合ホイール４１１と係合すると、腕当て部分２０は肘当て部分１０に対して相対的に回転されない。これにより、腕当て部分２０は所望の高さに固定される。
【００２５】
また、腕当て部分２０は案内凸部２３を有し、係合ブロック４１２は案内凹部４１２２を有している。案内凹部４１２２は延びていて、案内凹部４１２２の延長方向は、腕当て部分２０と関連している係合ブロック４１２の移動方向と平行である。案内凹部４１２２は案内凸部２３の周りに配置されているので、係合ブロック４１２は腕当て部分２０に対して直線的にしか動くことができない。
【００２６】
駆動構造体４２は腕当て部分２０に取り付けられ、係合ブロック４１２が係合ホイール４１１と係合するように、または係合ブロック４１２が係合ホイール４１１から分離するように、係合ブロック４１２を動かすことができる。駆動構造体４２はさらに以下の構成を備えることができる。
【００２７】
図３〜図７に示すように、第１実施形態では、駆動構造体４２がさらに引き要素４２１、引き紐体４２２、圧縮ばね４２３、およびねじりばね４２４を備えている。引き要素４２１は、腕当て部分２０内に取り付けられ、回転可能に接続されている。引き要素４２１の２つの端部のうちの一方は、ユーザの手で引くために腕当て部分２０から突き出ている。引き紐体４２２の両端は、それぞれ第１端および第２端となっている。第１端は引き要素４２１に接続されている。引き要素４２１が引かれて腕当て部分２０に対して回転されると、引き要素４２１は引き紐体４２２を引く。圧縮ばね４２３は引き紐体４２２の第２端を係合ホイール４１１方向に押す。ねじりばね４２４の２つの端部は、引き紐体４２２の第２端及び係合ブロック４１２にそれぞれ接続されていて、ねじりばね４２４は係合ブロック４１２を係合ホイール４１１に向かって押す。したがって、通常、係合ブロック４１２は係合ホイール４１１と係合するように押されて、腕当て部分２０を所望の高さに固定する。ユーザは引き要素４２１を引っ張るだけで、腕当て部分２０の高さを調整することができる。
【００２８】
図１３に示されるように、第５実施形態では、駆動構造体４２は、腕当て部分２０内に移動可能に取り付けられている引き要素４２５のみを備えている。引き要素４２５の２つの端部のうちの一方は、ユーザが引くために腕当て部分２０の外側に突出している。引き要素４２５の他端部は、係合ブロック４１２に接続されている。第５実施形態では、係合ブロック４１２は手動で直接押し引きされる。
【００２９】
図１４に示すように、第６実施形態は、上述の第５実施形態と同様であるが、駆動構造４２がさらに圧縮ばね４２６を備えている。圧縮ばね４２６は、腕当て部分２０内に取り付けられ、係合ブロック４１２を係合ホイール４１１方向に押す。したがって、通常、腕当て部分２０は高さが固定されているが、その高さは引き要素４２５が引かれた後に調節可能である。
【００３０】
図１５に示すように、第７実施形態は、前述の第６実施形態と同様であるが、駆動構造体４２の圧縮ばね４２６がねじりばね４２７に置き換えられている。ねじりばね４２７は腕当て部分２０に取り付けられていて、係合ブロック４１２を係合ホイール４１１に向かって押す。
【００３１】
係合固定構造体４１と駆動構造体４２の組み合わせの様々な選択肢は上述の通りである。高さロック構造４０の他の構成について、図１６に示すように、第８実施形態として、高さロック構造４０は、固定リング４３、回転棒４４、及びドロップストップナット４５を備えている。固定リング４３は、肘当て部分１０の側面に回転可能に接続されている。回転棒４４の２つの端部はそれぞれ、回転端部４４１および挿入端部４４２である。回転端部４４１は腕当て部分２０の側面に回転可能に接続されている。挿入端部４４２は、固定リング４３を通過して移動可能に取り付けられている。ドロップストップナット４５は、回転棒４４廻り及び回転棒４４の螺旋ねじ山に取り付けられ、固定リング４３に選択的に当接する。固定リング４３は、ドロップストップナット４５と回転棒４４の回転端部４４１との間に配置されている。図１７を参照すると、腕当て部分２０が上方（０度から９０度の間）に回転されると、回転棒４４の挿入端部４４２は固定リング４３に深く入り込む。図１８に示すように、このとき、ドロップストップナット４５が回転されて固定リング４３に当接するので、腕当て部分２０は下方に回転できない（しかし上方に回転させることはできる）。したがって、ユーザは前腕を腕当て部分２０の上に置くことができる。腕当て部分２０の高さを低くするためには、ユーザはドロップストップナット４５を逆方向に回転させて固定リング４３から分離するだけでよい。そうすれば、腕当て部分２０は下方へ回転できる。
【００３２】
図１９を参照すると、第９実施形態では、高さロック構造４０はさらに、回転棒４４廻り及び回転棒４４の螺旋ねじ山廻りに取り付けられているリフトストップナット４６を備えている。リフトストップナット４６は固定リング４３と回転棒の回転端部４４１との間に配置され、固定リング４３に選択的に当接する。リフトストップナット４６が固定リング４３に当接すると、腕当て部分２０は上方に回転することができず、その結果、リフトストップナット４６とドロップストップナット４５との間の固定リング４３への締め付けは、腕当て部分２０の高さを完全に固定できる。
【符号の説明】
【００３３】
１０：肘当て部分、２０：腕当て部分、３０：可動連結構造、４０：高さロック構造
【図１】
0003222757.tif 000003
【図２】
0003222757.tif 000004
【図３】
0003222757.tif 000005
【図４】
0003222757.tif 000006
【図５】
0003222757.tif 000007
【図６】
0003222757.tif 000008
【図７】
0003222757.tif 000009
【図８】
0003222757.tif 000010
【図９】
0003222757.tif 000011
【図１０】
0003222757.tif 000012
【図１１】
0003222757.tif 000013
【図１２】
0003222757.tif 000014
【図１３】
0003222757.tif 000015
【図１４】
0003222757.tif 000016
【図１５】
0003222757.tif 000017
【図１６】
0003222757.tif 000018
【図１７】
0003222757.tif 000019
【図１８】
0003222757.tif 000020
【図１９】
0003222757.tif 000021
【図２０】
0003222757.tif 000022